【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
表示手段と、操作手段と、前記表示手段または前記操作手段を照明する照明手段と、前記操作手段への操作を検出することにより第１の計測時間の間に前記照明手段へ駆動電源を供給する電源供給手段と、を有する電子機器において、
前記操作手段の操作を無効に設定する設定手段と、
前記第１の計測時間の間に前記設定手段による操作手段への操作の無効が設定されると、直ちに前記電源供給手段による前記照明手段への駆動電源の供給を停止する制御手段と、
を備えることを特徴とする電子機器。
【請求項２】
前記設定手段による設定の解除を指示する第１の解除指示手段を更に備え、
前記制御手段は、前記第１の解除指示手段により解除が指示されると、前記設定手段による設定を解除するとともに、前記照明手段へ駆動電源を供給するように制御することを特徴とする請求項１に記載の電子機器。
【請求項３】
前記設定手段による設定の一時的な解除を指示する第２の解除指示手段を更に備え、
前記制御手段は、前記第２の解除指示手段により解除が指示されると、前記第１の計測時間より短い第２の計測時間の間、前記照明手段へ駆動電源を供給するように制御することを特徴とする請求項１又は２に記載の電子機器。
【請求項４】
前記操作手段は、第１の操作手段と、第２の操作手段とを有し、
前記第２の解除手段は、前記第１の操作手段から入力される操作指示に基づいて設定の一時的な解除を指示し、
前記第１の解除手段は、前記第２の解除手段に基づいた設定の一時的な解除の間に前記第２の操作手段から入力される操作指示に基づいて設定の解除を指示することを特徴とする請求項３に記載の電子機器。
【請求項５】
装置本体が少なくとも２つの可動筐体で構成され、
前記２つの可動筐体の相対的な位置関係の変化を検出する検出手段を更に備え、
前記第１の解除指示手段又は前記第２の解除指示手段は、前記検出手段による前記２つの可動筐体の位置変化の検出に応じて解除指示を行うことを特徴とする請求項３に記載の電子機器。
【請求項６】
前記２つの可動筐体は、前記表示手段を備えた第１の筐体と、前記操作手段を備えた第２の筐体とを有し、
前記２つの可動筐体の位置関係は、前記表示手段を露出させ且つ前記操作手段が隠れるように前記第１の筐体と前記第２の筐体とを配置する第１の状態と、前記表示手段と前記操作手段とを露出させるように前記第１の筐体と前記第２の筐体とを配置する第２の状態とを含み、
前記第１の解除指示手段は、前記検出手段による前記第１の状態から前記第２の状態への変化の検出に応じて解除指示を行うことを特徴とする請求項５に記載の電子機器。
【請求項７】
前記２つの可動筐体の位置関係は、前記表示手段と前記第１の操作手段とを露出させ且つ前記第２の操作手段が隠れるように前記第１の筐体と前記第２の筐体とを配置する第１の状態と、前記表示手段と前記第２の操作手段とを露出させるように前記第１の筐体と前記第２の筐体とを配置する第２の状態とを含み、
前記第１の解除手段は、前記第２の解除手段に基づいた設定の一時的な解除の間に前記検出手段による前記第１の状態から前記第２の状態への変化の検出に応じて解除指示を行うことを特徴とする請求項６に記載の電子機器。
【請求項８】
表示手段と、操作手段と、前記表示手段または前記操作手段を照明する照明手段と、前記操作手段への操作を検出することにより第１の計測時間の間に前記照明手段へ駆動電源を供給する電源供給手段と、を有する電子機器において、
前記操作手段への操作を無効に設定する設定手段と、
前記操作手段への操作を検出した場合に、その操作内容を判別する判別手段と、
前記判別手段によって、前記操作手段への操作を無効に設定するための操作内容であると判別された場合に、前記電源供給手段による前記照明手段への駆動電源の供給を停止する制御手段と、
を備えることを特徴とする電子機器。
【請求項９】
前記制御手段は、前記判別手段によって、前記操作手段への操作を無効に設定するための操作内容でないと判別された場合に、前記第１の計測時間の間、前記照明手段へ駆動電源を供給するように制御することを特徴とする請求項８に記載の電子機器。
【請求項１０】
表示部、操作部、前記表示部または前記操作部を照明する照明部、及び、電源供給部を有するコンピュータを、
前記操作部への操作を検出することにより、第１の計測時間の間に前記電源供給部から前記照明部へ駆動電源を供給する電源供給手段、
前記操作部の操作を無効に設定する設定手段、
前記第１の計測時間の間に前記設定手段による前記操作部への操作の無効が設定されると、直ちに前記電源供給部による前記照明部への駆動電源の供給を停止する制御手段、
として機能させることを特徴とする電源供給プログラム。
【請求項１１】
表示部、操作部、前記表示部または前記操作部を照明する照明部、及び、電源供給部を有するコンピュータを、
前記操作部への操作を無効に設定する設定手段、
前記操作部への操作を検出した場合に、その操作内容を判別する判別手段、
前記操作部への操作を無効に設定するための操作内容であると判別された場合に、前記電源供給部による前記照明部への駆動電源の供給を停止する制御手段、
として機能させることを特徴とする電源供給プログラム。
【手続補正２】
【補正対象書類名】明細書
【補正対象項目名】００１３
【補正方法】変更
【補正の内容】
【００１３】
本発明の電子機器は、表示手段と、操作手段と、前記表示手段または前記操作手段を照明する照明手段と、前記操作手段への操作を検出することにより第１の計測時間の間に前記照明手段へ駆動電源を供給する電源供給手段と、を有する電子機器において、前記操作手段への操作を無効に設定する設定手段と、前記操作手段への操作を検出した場合に、その操作内容を判別する判別手段と、前記判別手段によって、前記操作手段への操作を無効に設定するための操作内容であると判別された場合に、前記電源供給手段による前記照明手段への駆動電源の供給を停止する制御手段と、を備えることを特徴とする。
また、前記制御手段は、前記判別手段によって、前記操作手段への操作を無効に設定するための操作内容でないと判別された場合に、前記第１の計測時間の間、前記照明手段へ駆動電源を供給するように制御することを特徴とする。
本発明の電源供給プログラムは、表示部、操作部、前記表示部または前記操作部を照明する照明部、及び、電源供給部を有するコンピュータを、前記操作部への操作を検出することにより、第１の計測時間の間に前記電源供給部から前記照明部へ駆動電源を供給する電源供給手段、前記操作部の操作を無効に設定する設定手段、前記第１の計測時間の間に前記設定手段による前記操作部への操作の無効が設定されると、直ちに前記電源供給部による前記照明部への駆動電源の供給を停止する制御手段、として機能させることを特徴とする。
【手続補正３】
【補正対象書類名】明細書
【補正対象項目名】００１４
【補正方法】変更
【補正の内容】
【００１４】
本発明の電源供給プログラムは、表示部、操作部、前記表示部または前記操作部を照明する照明部、及び、電源供給部を有するコンピュータを、前記操作部への操作を無効に設定する設定手段、前記操作部への操作を検出した場合に、その操作内容を判別する判別手段、前記操作部への操作を無効に設定するための操作内容であると判別された場合に、前記電源供給部による前記照明部への駆動電源の供給を停止する制御手段、として機能させることを特徴とする。
【手続補正４】
【補正対象書類名】明細書
【補正対象項目名】００１５
【補正方法】削除
【補正の内容】